(57)【要約】【課題】多重式選択取水装置において、扉体を格納室の所定位置に移動させる際に、最上段の扉体を吊り下げるワイヤが邪魔にならないようにすること。【解決手段】取水塔の対向する戸溝の間に複数枚の扉体を上下に積み重ねて昇降可能に収容し、滑車装置のロープを巻上機で巻き上げる開閉装置を最上段と最下段の扉体に設け、各滑車装置の定滑車を対応する最上段と最下段の扉体に有する多重式選択取水装置の扉体の点検方法において、開閉装置を駆動して最上段の扉体を取水塔の上部格納室まで引き上げる工程と、格納室まで引き上げられた最上段の扉体をホイストで吊り上げる工程と、最上段の扉体に着脱可能に取り付けられていた滑車装置の定滑車を取り外す工程と、最上段の扉体から二段目の扉体に対する連結ロッドを取り外す工程と、定滑車及び連結ロッドが取り外された最上段の扉体をホイストで移動させる工程と、を備える。【選択図】      図４
2013096156.tif 000002
【特許請求の範囲】
【請求項１】
取水塔の対向する戸溝の間に複数枚の扉体を上下に積み重ねて昇降可能に収容すると共に、上段側の扉体とその下段側の扉体には両扉体の間隔を開閉可能に保つ連結ロッドをそれぞれ設け、滑車装置のロープを巻上機で巻き上げる開閉装置を最上段と最下段の扉体にそれぞれ設け、各滑車装置の定滑車を対応する最上段と最下段の扉体に取り付けてある多重式選択取水装置において、
開閉装置を駆動して最上段の扉体を取水塔の上部に設けられた格納室の高さまで引き上げる工程と、
格納室の高さまで引き上げられた最上段の扉体をホイストで吊り上げる工程と、
最上段の扉体に着脱可能に取り付けられていた滑車装置の定滑車を取り外す工程と、
最上段の扉体から二段目の扉体に対する連結ロッドを取り外す工程と、
定滑車及び連結ロッドが取り外された最上段の扉体をホイストで移動させて格納室の所定位置に置く工程と、を備えることを特徴とする多重式選択取水装置の扉体の点検方法。
【請求項２】
上段側の扉体をホイストで移動させて格納室の所定位置に置く工程の後に、
開閉装置を駆動して現在一番上に位置する扉体を格納室の高さまで引き上げる工程と、
格納室の高さまで引き上げられた扉体をホイストで吊り上げる工程と、
格納室の高さにまで引き上げられた扉体からその下段側の扉体に対する連結ロッドを取り外す工程と、
連結ロッドが取り外された扉体をホイストで移動させて格納室の所定位置に置く工程と、を繰り返し行い、
その後に開閉装置を駆動して最下段の扉体を格納室の高さまで引き上げる工程を行うことを特徴とする請求項１に記載の多重式選択取水装置の扉体の点検方法。
【発明の詳細な説明】
【技術分野】
【０００１】
本発明は、複数枚の扉体を積み重ねた状態で貯水池に水を貯留し、貯水池から取水する際に、その貯留水の水位や所望の取水高さに応じて扉体を上昇させる多重式選択取水装置において、その扉体を点検する方法に関する。
【背景技術】
【０００２】
図６には、多重式選択取水装置の作動原理を理解するための説明図が示されている。図７には多重式選択取水装置の基本的な構造を示す平面方向から見た断面図が示されている。これら図６、７に基づいて、多重式選択取水装置の基本的な構造を説明する（特許文献１参照）。この装置は、取水塔１の対向する柱部材１１の対向面に形成された窪みである戸溝１２内に扉体２の左右端部を収容し、対向する戸溝１２の間に複数枚の扉体２を上下に積み重ねて保持すると共に、戸溝１２に沿って扉体２を昇降可能に案内している。このため、戸溝１２内を走行する主ローラ２ａが各扉体２の左右側面には回転可能に取り付けられている。
【０００３】
また、上下に積み重なり合う扉体２同士には両扉体２の間隔を開閉可能とする連結ロッド２１がそれぞれ設けられている。この連結ロッド２１は、上段側の扉体２に対しその下段側の扉体２が上下に重なり合っている場合には上段側の扉体２がその下段側の扉体２に対して相対的に上昇するときに両扉体２の間隔が所定間隔まで広がるのを許容し、間隔が所定間隔になった場合には、両扉体２に係わり合ってそれ以上間隔が広がるのを規制するものである。図示の例では、連結ロッド２１は、棒体２１ａの上下両端部に鍔状の膨大部２１ｂを備える構成である。そして、棒体２１ａを上段側の扉体２の底板２２と下段側の扉体２の上板２３を貫通させると共に、上下の膨大部２１ｂの範囲内で上段側の扉体２と下段側の扉体２との広がる間隔を規制する。
【０００４】
また、最上段の扉体２と最下段の扉体２には、昇降用の開閉装置３がそれぞれ連結されている。図示の例では、開閉装置３が最上段の扉体２と最下段の扉体２について右側と左側にそれぞれ設けられている。開閉装置３は、滑車装置４と巻上機５とから構成されている。滑車装置４は、複数の定滑車４１と、それら定滑車４１に巻き掛けるロープ４２とから構成されている。そして、定滑車４１が対応する扉体２の左右各側面と、取水塔１の上部に設けられている。これら定滑車４１に巻き掛けた１本のロープ４２の一端が巻上機５のドラム５１に固定され、ロープ４２の他端が取水塔１の上部に固定されていた。つまり、この例では、左右の開閉装置３について巻上機５のドラム５１を同期させて回転させることにより、左右のロープ４２が扉体２の対応する左右の定滑車４１に作用し、扉体２が上昇又は下降するものであった。また、巻上機５は、ドラム５１の他、図示しないが、ドラム５１を回転させるギヤ機構及びギヤを回転させるモータから構成されている。
【０００５】
前記した多重式選択取水装置は、以下の要領で取水位置に合わせて扉体２の昇降を行う。最上段の扉体２を対応する巻上機５によって上昇させると、最上段と二段目の扉体２の間隔が広がっていき、間隔が所定間隔に達すると、最上段と二段目の扉体２が連結ロッド２１で連結される。さらに最上段の扉体２を上昇させると、二段目の扉体２が最上段の扉体２から吊り下げられた形態のまま、三段目の扉体２との間隔を広げていき、間隔が所定間隔に達すると、二段目と三段目の扉体２が連結ロッド２１で連結される。さらに最上段の扉体２を上昇させていくと、以後同様の現象が繰り返される。一方、最下段の扉体２を対応する巻上機５によって上昇させると、その上に重なっている扉体２も一緒に上昇することになり、このときに、最上段の扉体２の定滑車４１に巻き掛けているロープ４２が撓むので、撓みを取るために最上段の扉体２に対応する巻上機５を駆動させる。上記要領で最上段との扉体２の位置を対応する巻上機５によって調整することによって、図８に示すように、取水位置を調整できるようになっている。
【０００６】
図９には、このような多重式選択取水装置で用いる主ローラ２ａ、定滑車４１等と、戸溝１２との関係が示されている。図９の（イ）に示すように各扉体２は、前記底板や上板の他、正面板、左右側板等を含む扉本体部２４を主体として構成されており、扉本体部２４の上下の左右端部には主ローラ２ａが、左右方向に延長する軸２ｂを中心にして回転可能に支持されている。主ローラ２ａは、戸溝１２の中で前後に対向する戸当り１３に対して遊びのある状態で収容され、扉体２の前後方向の位置を調整するようになっている。また、扉本体部２４の左右端部にはブラケット２５が後方に取り付けられており、このブラケット２５には副ローラ２ｃが前後方向に延長する軸２ｄを中心にして回転可能に支持されている。副ローラ２ｃは、柱部材１１の内面であって戸溝１２に対して後方の部分に向かって遊びのある状態で配置されており、扉体２の左右方向の位置を調整するようになっている。
【０００７】
また、図９の（ロ）に示すように最上段の扉体２については、扉本体部２４の上部であって左右端部には、主ローラ２ａの真上に相当する位置に定滑車４１が回転可能に支持されている。より詳しく言えば、定滑車４１は、滑車本体４１ａをシーブケース４１ｂ内に有すると共に、シーブケース４１ｂの左右方向に架設された軸４１ｃを中心にして滑車本体４１ａを回転可能に支持している。そして、現状（従来）の定滑車４１については、シーブケース４１ｂを扉体２に溶接によって強固に固定していた。
【０００８】
さらに図９の（ハ）に示すように最下段の扉体２についても、最上段の扉体２と同様にして定滑車４１が回転可能に支持されている。そして、この定滑車４１の支持位置を、主ローラ２ａよりも左右方向外側に配置することにより、この定滑車４１に巻き掛けたロープ４２が主ローラ２ａや最上段の定滑車４１に干渉しないようになっている。
【０００９】
そのほかに、扉体２の側面には水密ゴム２６が側方に突出する状態で取り付けられており、水密ゴム２６が戸溝１２よりも前方側で柱部材１１の内面に当接する。また、図示していないが、扉体２の底面にも水密ゴムが取り付けられている。
【００１０】
ところで、多重式取水装置をある程度の期間、使用すると、扉体２の点検作業が行われる。この点検作業では、前記した水密ゴム２６や各種ローラ２ａ、２ｃの状態を確認し、場合によっては交換が行われる。
【００１１】
このような多重式選択取水装置で、扉体２を点検する従来の手順が図１０に示されている。その手順の概略は、以下の（１）〜（４）の通りである。
（１）全ての扉体２が積み重なり、堰き止め位置に配置されている。堰き止め位置よりも上側であって、巻上機５の設置床１４の下側には格納室１５が設けられている。格納室１５の天井にはレール１６が敷設され、レール１６に沿ってホイスト１７が走行するようになっている。
【００１２】
（２）最上段用及び最下段用の巻上機５を駆動して、最上段の扉体２を格納庫の高さ（点検位置の高さ）まで引き上げ、ホイスト１７を最上段の扉体２に向かって移動させる。
【００１３】
（３）最上段の扉体２をホイスト１７で吊り上げる。また、戸溝１２内には、主ローラ２ａを案内する戸当り１３が前後に設けられており、扉体２を引き入れる側の戸当り１３を取り外すと共に、連結ロッド２１を外す。そして、ホイスト１７で扉体２を吊り上げたまま、外した戸当り１３の方から最上段の扉体２を定滑車４１ごと水平に平行移動させ、所定の位置に置く。
このときに、平行移動させる分に合わせて最上段用の巻上機５のドラム５１を下降方向に回転させてロープ４２を撓ませる。ちなみに、最上段の扉体２の左右に設けられた各定滑車４１には、１本のロープ４２が「Ｕ」の字状に巻き掛けられていることから、１本のロープ４２でありながら各定滑車４１を恰も前後２本のロープ４２で引き上げているような形態となっている。定滑車４１は扉体２の左右にあることから、最上段の扉体２は恰も合計４本のロープ４２で引き上げているような形態となっている。このためロープ４２の撓み量を調整し、合計４本のロープ４２を定滑車４１に対して均等に撓ませるように留意する。
また、最上段の扉体２に付いている定滑車４１に、最下段の扉体２を吊り下げているロープ４２が引っ掛からないように留意する。
【００１４】
（４）最下段用の巻上機５を駆動させて、二番目の扉体２を格納室１５の高さまで引き上げる。この後は、（３）の手順を行う。但し、最上段の扉体２側からロープ４２が巻上機５の方に向かっているので、このロープ４２に触れないように二番目の扉体２を水平方向に平行移動させる。以後、同様にして、三番目の扉体２を所定の位置に置く。そして、最下段の四番目の扉体２を格納室１５の高さにまで引き上げる。
【００１５】
以上のようにすれば、全ての扉体２を格納室１５に収容でき、各扉体２について水密ゴム２６や各種ローラ２ａ、２ｃを点検することができる。
【先行技術文献】
【特許文献】
【００１６】
【特許文献１】特開昭６１−３８００８号公報
【発明の概要】
【発明が解決しようとする課題】
【００１７】
上記した点検作業において、最上段の扉体２の定滑車４１に巻きかけたロープ４２が問題となる。最上段の扉体２をホイスト１７で平行移動させるには、最上段の扉体２の定滑車４１に巻きかけたロープ４２の張りを緩めてやることが必要とされる。しかも、平行移動させる際に、最上段の扉体２の定滑車４１に最下段の扉体２を吊り下げているロープ４２が引っかかることがあった。また、最上段の扉体２についてロープ４２を４本とも均等に所定量撓ませることも、難しかった。しかも、格納室１５の所定箇所になんとか最上段の扉体２を設置しても、最上段の扉体２からロープ４２が巻上機５に向かって撓みながら延びており、この撓んだロープ４２に触れないように二番目以降の扉体２を所定位置に移動させることも同様に難しかった。また、ロープ４２が扉体２や、戸当り１３等を固定するコンクリート等に干渉すると、当然、ロープ４２が傷むので、損傷の程度によっては、交換しなければならない場合もある。かといって、定滑車４１と最上段の扉体２とは、図９（ロ）に示すように溶着によって強固に一体化されており、分離することが、事実上、不可能であった。
【００１８】
本発明は、上記実情を考慮したもので、扉体を点検するために、扉体を格納室の所定位置に移動させる際に、最上段の扉体を吊り下げるワイヤが邪魔にならないようにすることを目的とする。
【課題を解決するための手段】
【００１９】
本発明は、取水塔の対向する戸溝の間に複数枚の扉体を上下に積み重ねて昇降可能に収容すると共に、上段側の扉体とその下段側の扉体には両扉体の間隔を開閉可能に保つ連結ロッドをそれぞれ設け、滑車装置のロープを巻上機で巻き上げる開閉装置を最上段と最下段の扉体にそれぞれ設け、各滑車装置の定滑車を対応する最上段と最下段の扉体に取り付けてある多重式選択取水装置に適用するものである。
【００２０】
そして、本発明は、開閉装置を駆動して最上段の扉体を取水塔の上部に設けられた格納室の高さまで引き上げる工程と、格納室の高さまで引き上げられた最上段の扉体をホイストで吊り上げる工程と、最上段の扉体に着脱可能に取り付けられていた滑車装置の定滑車を取り外す工程と、最上段の扉体から二段目の扉体に対する連結ロッドを取り外す工程と、定滑車及び連結ロッドが取り外された最上段の扉体をホイストで移動させて格納室の所定位置に置く工程と、を備えることを特徴とする多重式選択取水装置の扉体の点検方法である。
【００２１】
また、最上段の扉体から定滑車が取り外されると、定滑車に巻き掛けてあるロープが最上段の扉体を移動させる際に邪魔にならない。従って、他の扉体を格納室の所定位置に設置等する場合にでも、ロープが邪魔になることは無く、以下に示す工程が容易に行える。
すなわち、上段側の扉体をホイストで移動させて格納室の所定位置に置く工程の後に、開閉装置を駆動して現在一番上に位置する扉体を格納室の高さまで引き上げる工程と、格納室の高さまで引き上げられた扉体をホイストで吊り上げる工程と、格納室の高さにまで引き上げられた扉体からその下段側の扉体に対する連結ロッドを取り外す工程と、連結ロッドが取り外された扉体をホイストで移動させて格納室の所定位置に置く工程と、を繰り返し行い、その後に開閉装置を駆動して最下段の扉体を格納室の高さまで引き上げる工程を行うことである。
【発明の効果】
【００２２】
本発明によれば、定滑車を最上段の扉体から外すことにより、定滑車に巻き掛けられているロープが最上段の扉体を格納室の所定位置に移動させる際に邪魔にならない。
また、二段目以降の扉体を格納室に移動させる際にも邪魔にならず、点検作業を迅速に行える。
【図面の簡単な説明】
【００２３】
【図１】（イ）（ロ）図は、本発明の最上段の扉体の右側面と定滑車との着脱構造、並びに最上段の扉体と戸当りとの関係を示す平面図、側面図である。
【図２】（イ）（ロ）図は、最上段の扉体の右側面と定滑車とのより詳細な着脱構造を示す組立図、分解図である。
【図３】本発明の多重式選択取水装置の作業手順の前半部分を示す説明図である。
【図４】本発明の多重式選択取水装置の作業手順の中間部分を示す説明図である。
【図５】本発明の多重式選択取水装置の作業手順の後半部分を示す説明図である。
【図６】多重式選択取水装置の作動原理を理解するための説明図である。
【図７】多重式選択取水装置の基本的な構造を示す平面方向から見た断面図である。
【図８】多重式選択取水装置の水位に応じた取水の仕方を示す説明図である。
【図９】（イ）（ロ）（ハ）図は、戸溝内における扉体との関係を示すもので、より詳しくは、主ローラと戸当りとの関係、上段側の扉体用の定滑車と戸溝等との関係、下段側の扉体用の定滑車と戸溝等との関係を示す説明図である。
【図１０】従来の多重式選択取水装置の作業手順を示す説明図である
【発明を実施するための形態】
【００２４】
本発明に適用する多重式選択取水装置については、背景技術の欄で基本的構造を述べてあるので、その部分についての説明はできるだけ省略し、相違する部分を重点的に説明する。
【００２５】
図１及び図２に示すように、この多重式選択取水装置は、その最上段の扉体２に対して定滑車４１を着脱可能に取り付けてある。図示の例では、定滑車４１は、上面を開口しているシーブケース４１ｂ内に滑車本体４１ａが軸４１ｃを中心にして回転可能に支持されており、そのシーブケース４１ｂから連結片４３が垂下している。一方、最上段の扉体２は、扉本体部２４の右側面の上端部に筒状の被連結部２７が側方に突出する状態で固定されており、この被連結部２７は、左右方向に貫通するガイド孔２７ａを備えている。また、このガイド孔２７ａには、ガイド孔２７ａよりも長い接合ピン４４が収容されており、接合ピン４４がガイド孔２７ａによって左右方向に移動可能に支持されている。扉本体部２４の内部では、接合ピン４４の左端部に止め輪４５が嵌め込まれ、止め輪４５が筒状の被連結部２７の内側端面に当ることによって接合ピン４４がそれ以上、右側に移動できないようになっている。また、連結片４３には左右方向に貫通する止め孔４３ａが形成されており、止め孔４３ａの中に接合ピン４４の右端部を挿入する。そして、接合ピン４４の右端面に、止め孔４３ａよりも大径のエンドキャップ４６を当て、ボルトでエンドキャップ４６を接合ピン４４に固定することによって、定滑車４１を最上段の扉体２の右側面に固定してある。逆に、エンドキャップ４６を外して、接合ピン４４を左側に移動させることによって、定滑車４１の連結片４３から接合ピン４４を抜き、定滑車４１を取り外す。
【００２６】
また、着脱可能な定滑車４１が格納室１５の前後に対向する戸当り１３に沿って昇降可能に設けられている。具体的には、格納室１５に吊り上げた最上段の扉体２の上側において、各戸当り１３の対向面にガイドレール１３ａを上下方向に延長して設け、シーブケース４１ｂの前後面にはスライダ４１ｄを備えており、スライダ４１ｄとガイドレール１３ａとが凹凸により遊びのある状態で嵌り合うことによって、スライダ４１ｄをガイドレール１３ａに沿って移動可能なものとしてある。
【００２７】
本発明の多重式選択取水装置の扉体２の点検方法は、図３〜図５に示すように、以下の各工程を経て行われる。
（１）図３に示すように、全ての扉体２が積み重なり、堰き止め位置に配置されている。
（２）最上段用及び最下段用の開閉装置３の巻上機５を駆動して、最上段の扉体２を格納庫の高さ（点検位置の高さ）まで引き上げ、全ての扉体２が積み重なった状態とする。
（３）格納室１５の天井に敷設されたレール１６に沿ってホイスト１７を走行させ、ホイスト１７を最上段の扉体２の真上位置まで移動させ、ホイスト１７で最上段の扉体２を吊り上げる。
（４）最上段の扉体２に付いている定滑車４１を扉体２から外し、上方に引き上げる。このとき、ガイドレール１３ａとスライダ４１ｄによって、定滑車４１は前後左右を位置決めされる。
【００２８】
（５）図４に示すように、最上段の扉体２の両端部の前後には扉体２を案内する戸当り１３が設けられており、扉体２を引き入れる側の戸当り１３を取り外す。
（６）最上段の扉体２と二番目の扉体２とを連結する連結ロッド２１を外す。
（７）ホイスト１７を駆動させ、外した戸当たりの方から最上段の扉体２を水平に平行移動させる。
（８）ホイスト１７から最上段の扉体２を外して所定の位置に置く。
【００２９】
（９）図５に示すように、最下段用の開閉装置３の巻上機５を駆動させて、二番目の扉体２を格納室１５の高さまで引き上げる。この後は、（６）、（７）の手順を行って、二番目の扉体２を所定の位置に置く。
（１０）以後、同様に（９）の手順を繰り返し行って、三番目の扉体２を所定の位置に置き、最後に、最下段の四番目の扉体２を格納室１５の高さにまで引き上げる。
以上のようにすれば、全ての扉体２を格納室１５に引き上げることができ、各扉体２の水密ゴム２６や各種ローラ２ａ、２ｃを点検することができる。
【００３０】
本発明は上記実施形態に限定されるものではない。例えば、定滑車４１と最上段の扉体２との着脱構造は、問わない。また、最上段の扉体２用の開閉装置３と、最下段の扉体２用の開閉装置３は、巻上機５のドラム５１を回すモータを共用しても良く、この場合、モータの動力を伝えるドラム５１を切換機で選択して使用する。
【符号の説明】
【００３１】
１取水塔
２扉体
２ａ主ローラ
２ｂ軸
２ｃ副ローラ
２ｄ軸
３開閉装置
４滑車装置
５巻上機
１１柱部材
１２戸溝
１３戸当り
１３ａガイドレール
１４設置床
１５格納室
１６レール
１７ホイスト
２１連結ロッド
２１ａ棒体
２１ｂ膨大部
２２底板
２３上板
２４扉本体部
２５ブラケット
２６水密ゴム
２７被連結部
２７ａガイド孔
４１定滑車
４１ａ滑車本体
４１ｂシーブケース
４１ｃ軸
４１ｄスライダ
４２ロープ
４３連結片
４３ａ止め孔
４４接合ピン
４５止め輪
４６エンドキャップ
５１ドラム
【図１】
2013096156.tif 000003
【図２】
2013096156.tif 000004
【図３】
2013096156.tif 000005
【図４】
2013096156.tif 000006
【図５】
2013096156.tif 000007
【図６】
2013096156.tif 000008
【図７】
2013096156.tif 000009
【図８】
2013096156.tif 000010
【図９】
2013096156.tif 000011
【図１０】
2013096156.tif 000012